(57)【要約】 【課題】重量物吊上げ装置に関し、特に、集合住宅のパイプシャフトへの給湯器等の設置に好適な重量物吊上げ装置を提供する。【解決手段】リフター４の爪部４ｂを給湯器７の内側に差し込んだ状態でリフター４が水平となるように、負荷鎖３ｂ長さを調節する。この段階では、連結ワイヤー５ｄには張力が掛かっておらず、弛んだ状態にある。次に、荷締器５ａを締め込むことにより連結ワイヤー５ｄの長さを調節し、リフター４が水平の状態で連結ワイヤー５ｄに張力が掛かり、給湯器７を吊り上げた状態とする。チェーンブロック３の操作鎖３ｄを操作して負荷鎖３ｂを上方に巻き上げ、リフター４と一体の給湯器７を吊り上げる。この場合、負荷鎖３ｂの巻き上げ長さ（Δｄ１）と無負荷鎖３ｃの巻き下げ長さ（Δｄ２）は等しいので、リフター４は水平を維持したまま吊り上げられる。ＰＳの扉設置高さまで吊り上げて、巻き上げを停止する。【選択図】図３（ｂ）
2011051723.tif 000002
【特許請求の範囲】
【請求項１】
重量物を、水平を維持しつつ吊上げて移動可能とする重量物吊上げ装置であって、
底部に移動用キャスターを備えた基盤部と、天枠部と、基盤部に固定され天枠部を支持する支柱枠体と、を備えた装置本体と、
天枠部に配設されるチェーンブロックと、
重量物を担持した状態で、チェーンブロックにより吊り上げられる重量物担持手段と、
重量物担持手段を、荷重が掛かった状態で水平位置に維持可能とする水平維持手段と、  を備えて成り、
重量物担持手段は、一端側に重量物を担持する担持部と、他端側に連結ワイヤー接続部と、中央部にチェーンブロックの負荷鎖により吊り上げ可能とする吊上げ部と、を備え、
水平維持手段は、重量物担持手段の連結ワイヤー接続部に取り付けられるワイヤー長さ調整手段と、基盤部に配設される１以上の滑車と、チェーンブロックの無負荷鎖とワイヤー長さ調整手段とを該滑車を介して連結する連結ワイヤーと、を備え、
該ワイヤー長さ調整手段は、担持部に荷重が掛かった状態で、重量物担持手段を水平位置に調整可能に構成した、
ことを特徴とする重量物吊上げ装置。
【請求項２】
前記基盤部は、重量物を担持する側の反対側に、カウンターウエイトを、さらに備えて成ることを特徴とする請求項１に記載の重量物吊上げ装置。
【発明の詳細な説明】
【技術分野】
【０００１】
本発明は重量物吊上げ装置に関し、特に、集合住宅のパイプシャフトへの給湯器等の設置に好適な重量物吊上げ装置に関する。
【背景技術】
【０００２】
従来、給湯器（給湯暖房機、追焚給湯器、暖房専用機等を含む）を集合住宅のパイプシャフト（以下、ＰＳと略称することがある）に設置する場合、図５（ａ）に示すように給湯器１０１の外側に扉内ボックス１０２を装着し、同図（ｂ）に示すように、一体としてＰＳ扉枠１０３の上部及び側面取付金具１０３ａ、１０３ｂにビス固定することが一般的である。
この作業を単独作業で行う場合、図６に示すように三脚に取り付けたチェーンブロック１０５を使って、給湯器１０１を吊り上げることは可能である。しかしながら、給湯器周囲に吊り下げ用帯１０４を巻き、フック１０５ａに引っ掛けて巻き上げなければならないため、ＰＳ扉枠１０３内に入れる際に帯１０４が邪魔となり、非常に困難な作業となる。
なお、三脚に取り付けたチェーンブロックを使って重量物を移動可能とする技術として、側溝の蓋を人力で吊り上げ可能とし、作業性の向上を図る技術が開示（例えば特許文献１）されているが、上記問題には対応できない。
【先行技術文献】
【特許文献】
【０００３】
【特許文献１】登録実案第３０３６６３４号公報
【発明の開示】
【発明が解決しようとする課題】
【０００４】
さらに、フォークリフトを用いて給湯器を持ち上げる方法も考えられるが、通常、給湯器にはフォークリフトの先端爪部を挿入可能とする隙間はなく、現実的ではない。専用治具の開発により持ち上げること自体は可能とはなるものの、一般にＰＳは集合住宅の共用廊下に設けられることが多く、この場合、スペースが狭いためフォークリフトの取り回しは困難、かつ、危険を伴う。
これらの理由から、給湯器のＰＳ設置に関しては、簡易かつ安全に重量物を吊り上げ、移動可能とする適当な手段がなく、２人作業で給湯器を抱えて取り付けざるを得ないというのが現状である。
【課題を解決するための手段】
【０００５】
本発明は上記課題を解決するためのものであって、以下の内容を要旨とする。すなわち、本発明に係る重量物吊上げ装置は、
（１）重量物を、水平を維持しつつ吊上げて移動可能とする重量物吊上げ装置であって、底部に移動用キャスターを備えた基盤部と、天枠部と、基盤部に固定され天枠部を支持する支柱枠体と、を備えた装置本体と、天枠部に配設されるチェーンブロックと、重量物を担持した状態で、チェーンブロックにより吊り上げられる重量物担持手段と、重量物担持手段を、荷重が掛かった状態で水平位置に維持可能とする水平維持手段と、  を備えて成り、重量物担持手段は、一端側に重量物を担持する担持部と、他端側に連結ワイヤー接続部と、中央部にチェーンブロックの負荷鎖により吊り上げ可能とする吊上げ部と、を備え、水平維持手段は、重量物担持手段の連結ワイヤー接続部に取り付けられるワイヤー長さ調整手段と、基盤部に配設される１以上の滑車と、チェーンブロックの無負荷鎖とワイヤー長さ調整手段とを該滑車を介して連結する連結ワイヤーと、を備え、該ワイヤー長さ調整手段は、担持部に荷重が掛かった状態で、重量物担持手段を水平位置に調整可能に構成した、ことを特徴とする。
【０００６】
本発明の作用は以下の通りである。図４（ａ）を参照して、重量物を地上面に置いた状態で重量物担持手段の担持部に担持させ、次いでワイヤー長さ調整手段により連結ワイヤー長さを調整することにより、重量物担持手段を水平位置にする。次いで同図（ｂ）を参照して、チェーンブロックを操作して負荷鎖を上方に巻き上げ、重量物担持手段と一体の重量物を吊り上げる。この場合、負荷鎖の巻き上げ長さ（Δｄ１＝ｄ１−ｄ１’）と無負荷鎖の巻き下げ長さ（Δｄ２＝ｄ２’−
ｄ２）は等しいので、重量物担持手段は水平を維持したまま吊り上げられる。このため、重量物を地上面に置かれた状態のまま吊り上げることができ、移動用キャスターにより水平移動させれば、例えば高い位置での取り付け等、目的作業を容易に行うことができる。
【０００７】
（２）上記発明において、前記基盤部は、重量物を担持する側の反対側に、カウンターウエイトを、さらに備えて成ることを特徴とする。
【発明の効果】
【０００８】
本発明によれば、一人作業により重量物を容易に吊り上げ、かつ、水平移動も可能となる。
また、パイプシャフト等、三脚では事実上不可能な場所への設置についても、一人作業が可能となるという効果がある。
また、基盤部の後端側にカウンターウエイトを備えた発明にあっては、水平を保つためのカウンターウエイト（バランス用錘）を別途用意する必要がないため、作業性及び安全性が向上するという効果がある。なお、錘の重量は、重量物の重さ、重量物担持手段の長さ等を勘案して、適宜定めることができる。
【図面の簡単な説明】
【０００９】
【図１（ａ）】本発明の一実施形態に係る給湯器リフト装置１の全体構成を示す図である。
【図１（ｂ）】給湯器リフト装置１の側面構成を示す図である。
【図２】リフター４の詳細構成を示す図である。
【図３（ａ）】給湯器リフト装置１を用いた給湯器７のＰＳ扉枠８ｂへの設置工程（ａ）（給湯器７担持）を示す図である。
【図３（ｂ）】同設置工程（ｂ）（荷締器５ａ締め込み）を示す図である。
【図３（ｃ）】同設置工程（ｃ）（給湯器７吊り上げ）を示す図である。
【図３（ｄ）】同設置工程（ｄ）（ＰＳ扉枠への設置）を示す図である。
【図４】本発明の作用を示す図である。
【図５】従来の給湯器パイプシャフト設置の方法を示す図である。
【図６】従来の三脚とチェーンブロックを用いた給湯器吊り上げ方法を示す図である。
【発明を実施するための形態】
【００１０】
以下、本発明の一実施形態に係る給湯器リフト装置（請求項の重量物吊上げ装置に該当）について、図１乃至４を参照してさらに詳細に説明する。重複説明を回避するため、各図において同一構成には同一符号を用いて示している。なお、本発明の範囲は特許請求の範囲記載のものであって、以下の実施形態に限定されないことはいうまでもない。
図１（ａ）、１（ｂ）を参照して、給湯器リフト装置１は装置本体２と、本体天枠部２ｃに吊り下げられるチェーンブロック３と、チェーンブロック３により重量物と一体に吊り上げられるリフター４（請求項の重量物担持手段に該当）と、リフター４を水平位置に設定可能とする水平維持手段５と、を主要構成として備えている。
【００１１】
装置本体２は、底部に移動手段であるキャスター２ｅを備えた基盤部２ａと、チェーンブロック３を吊り下げ支持する梁２ｆを備えた天枠部２ｃと、基盤部２ａに固定され天枠部２ｃを支持する３本の支柱枠体２ｂと、により三角柱形状に構成されている。基盤部２ａの底部には、バランス用錘２ｇが取り付けられている。
チェーンブロック３は、ギア群、ブレーキ等（いずれも不図示）を内蔵する本体３ａと、下端部のフック３ｅに重量物を掛けて吊り上げる負荷鎖３ｂと、下端部にシャックル３ｆを備えた無負荷鎖３ｃと、負荷鎖３ｂの巻き上げ、巻き下げを行う操作鎖３ｄ（適宜、図示を省略）と、を備えている。なお、後述するように、本発明においては無負荷鎖３ｃにも負荷が掛かることになるが、便宜上、無負荷鎖と称する。
【００１２】
図２をも参照して、リフター４は、両側に並べた一対のリフターユニット４ａを支持ロッド４ｆで接続固定して、そり形状に構成されている。各ユニットの先端側には、給湯器７を担持するための爪部４ｂ（請求項の担持部に該当）、後端側にはワイヤー接続部４ｃが設けられている。爪部４ｂの上端には給湯器７を水平に支持するための支持部４ｄが取り付けられている。また、中央にはリフター４全体を負荷鎖３ｂに掛けて吊り上げるための、ワイヤー４ｅが取り付けられている。
【００１３】
水平維持手段５は、リフター４の後端側４ｃに固定される荷締器５ａ（請求項のワイヤー長さ調整手段に該当）と、基盤部２ａに配設される２連の滑車５ｂ、５ｃと、荷締器５ａと無負荷鎖３ｃとを滑車５ｂ、５ｃを介して連結する連結ワイヤー５ｄと、により構成されている。荷締器５ａは内部にラチェット機構を備えており、連結ワイヤー５ｄを所望の長さに調整するように締め込み、その長さに保持する機能を備えている。滑車５ｂ、５ｃはそれぞれ、無負荷鎖３ｃ及び荷締器５ａの直下に配設されており、無負荷鎖３ｃを介して連結ワイヤー５ｄに対して垂直上方に掛かる張力を、リフター４の後端側４ｃに対して垂直下方に方向変更して掛けるように構成されている。
【００１４】
給湯器リフト装置は以上のように構成されており、次に、図３（ａ）乃至３（ｄ）  を参照して、給湯器リフト装置１による給湯器７の吊り上げ、及び、ＰＳへの設置の態様について説明する。
（ａ）給湯器７の担持
図３（ａ）を参照して、扉内ボックス８ａと一体の給湯器７を、前面カバーを外した状態で、予め床面ＧＬに立てて置く。リフター４の爪部４ｂを給湯器７の内側に差し込んだ状態でリフター４が水平となるように、負荷鎖３ｂ長さを調節する。この段階では、連結ワイヤー５ｄには張力が掛かっておらず、弛んだ状態にある。
【００１５】
（ｂ）荷締器５ａの締め込み
図３（ｂ）を参照して、次に、荷締器５ａを締め込むことにより連結ワイヤー５ｄの長さを調節し、リフター４が水平の状態で連結ワイヤー５ｄに張力が掛かり、給湯器７を吊り上げた状態とする。
【００１６】
（ｃ）給湯器７の吊り上げ
図３（ｃ）を参照して、チェーンブロック３の操作鎖３ｄを操作して負荷鎖３ｂを上方に巻き上げ、リフター４と一体の給湯器７を吊り上げる。この場合、図４（ｂ）を参照して、上述のように、負荷鎖３ｂの巻き上げ長さ（Δｄ１）と無負荷鎖３ｃの巻き下げ長さ（Δｄ２）は等しいので、リフター４は水平を維持したまま吊り上げられる。ＰＳの扉設置高さまで吊り上げて、巻き上げを停止する。
【００１７】
（ｄ）パイプシャフトへの設置
図３（ｄ）を参照して、給湯器リフト装置１をパイプシャフト８の扉枠８ｂ前面に移動させる。取り付け高さの調整を行った後、図５（ｂ）と同様の方法で給湯器７を扉枠８ｂに取り付ける。取付完了後に、給湯器７の前面カバー（図示せず）を取り付けて、作業が完了する。
【００１８】
なお、本実施形態では、装置本体が三角柱形状の例を示したが、これに限らず、重量物を吊り上げてバランスを維持できる形状とすることができる。
また、荷締器５ａと無負荷鎖３ｃ間を２個の滑車を介して連結ワイヤーにより連結する例を示したが、単一の滑車を用いる形態とすることもできる。
また、本実施形態では、重量物担持手段として一対のユニットにより構成されるリフターを用いる例を示したが、これに限らず単一のリフターを用いる形態とすることもできる。さらに、担持方法として先端の爪部を給湯器内側に差し込む形態としたが、例えば先端部に吊り下げる形態とすることもできる。
【産業上の利用可能性】
【００１９】
本発明はガス給湯器のみならず、吊上げ装置の担持部に担持可能な重量物の吊上げ装置として広く適用可能である。
【符号の説明】
【００２０】
１・・・・給湯器リフト装置
２・・・・装置本体
２ａ・・・基盤部
２ｂ・・・支柱枠体
２ｃ・・・天枠部
２ｅ・・・キャスター
２ｆ・・・梁
２ｇ・・・バランス用錘
３・・・・チェーンブロック
３ｂ・・・負荷鎖
３ｃ・・・無負荷鎖
４・・・・リフター
４ｂ・・・爪部
４ｃ・・・ワイヤー接続部
５・・・・水平維持手段
５ａ・・・荷締器
５ｂ、５ｃ・・・滑車
５ｄ・・・連結ワイヤー
７・・・・給湯器
８ａ・・・扉内ボックス
８ｂ・・・扉枠
【図１（ａ）】
2011051723.tif 000003
【図１（ｂ）】
2011051723.tif 000004
【図２】
2011051723.tif 000005
【図３（ａ）】
2011051723.tif 000006
【図３（ｂ）】
2011051723.tif 000007
【図３（ｃ）】
2011051723.tif 000008
【図３（ｄ）】
2011051723.tif 000009
【図４】
2011051723.tif 000010
【図５】
2011051723.tif 000011
【図６】
2011051723.tif 000012